(57)【要約】【課題】展示空間内に展示されている美術品の経時劣化を当該展示空間の内部雰囲気の観点から防ぐことができる美術品鑑賞キャビネットを提供すること。【解決手段】美術品鑑賞キャビネット１では、展示空間Ｒ１の相対湿度が５０±５％内に移行するまで、展示空間Ｒ１に窒素発生器６１から窒素ガス又は加湿器７１から加湿窒素ガスを充填することによって、且つ、展示空間Ｒ１の摂氏温度が２０±２℃内に移行するまで、サーモモジュール３６で冷却・加熱された温度調節空間Ｒ２の冷気・暖気を介して、展示空間Ｒ１を加熱又は冷却することによって、展示空間Ｒ１の内部雰囲気（気体の湿度・温度）について最適化を行っている。【選択図】図１
2007159819.tif 000002
【特許請求の範囲】
【請求項１】
美術品を展示する展示空間の相対湿度が第１条件範囲内に移行するまで前記展示空間内に気体を充填する湿度調節手段と、
前記展示空間の摂氏温度が第２条件範囲内に移行するまで前記展示空間内を熱電素子で加熱又は冷却する温度調節手段と、を備えたこと、を特徴とする美術品鑑賞キャビネット。
【請求項２】
請求項１に記載する美術品鑑賞キャビネットであって、
前記展示空間の相対湿度が前記第１条件範囲である５０±５％の上限又は下限を超えると前記湿度調節手段の実行を許可する第１許可手段を備えたこと、を特徴とする美術品鑑賞キャビネット。
【請求項３】
請求項１又は請求項２に記載する美術品鑑賞キャビネットであって、
前記展示空間の摂氏温度が前記第２条件範囲である２０±２℃の上限又は下限を超えると前記温度調節手段の実行を許可する第２許可手段を備えたこと、を特徴とする美術品鑑賞キャビネット。
【請求項４】
請求項１乃至請求項３のいずれか１つに記載する美術品鑑賞キャビネットであって、
前記湿度調節手段の気体を供給するとともに前記展示空間から隔てた外部に設置された気体発生器と、
前記温度調節手段の熱電素子が露呈するとともに前記展示空間に隣接して設けられた温度調節空間と、
前記温度調節空間から前記展示空間に上方で強制通風させる上方ファンと、
前記温度調節空間から前記展示空間に下方で強制通風させる下方ファンと、を備えたこと、を特徴とする美術品鑑賞キャビネット。
【請求項５】
請求項４に記載する美術品鑑賞キャビネットであって、
前記温度調節手段が加熱を行う場合には前記下方ファンを作動させる第１ファン作動手段と、
前記温度調節手段が冷却を行う場合には前記上方ファンを作動させる第２ファン作動手段と、を備えたこと、を特徴とする美術品鑑賞キャビネット。
【請求項６】
請求項１乃至請求項５のいずれか１つに記載する美術品鑑賞キャビネットであって、
前記温度調節手段の熱電素子がペルチェ素子であること、を特徴とする美術品鑑賞キャビネット。
【発明の詳細な説明】
【技術分野】
【０００１】
本発明は、掛け軸などの美術品を展示空間内に展示する美術品鑑賞キャビネットに関するものである。
【背景技術】
【０００２】
従来より、美術品の展示態様に様々な工夫を凝らした美術品鑑賞キャビネットが考案されている。例えば、下記特許文献１に記載の照明付表示装置では、布絵・和紙絵などの染色物をはさんだ透明又は半透明の板を装置前面に設けるとともに装置内部から照明することで、装置内の展示物の照明に多様性を持たせている。
【０００３】
また、下記特許文献２の表示装置の湿気遮断機能を備えれば、展示品をカバーする透明又は半透明の板に曇りが生じるのを防ぐことができるので、快適な鑑賞環境を実現することができる。
【０００４】
さらに、下記特許文献３に記載のハンガーフックを使用すれば、掛け軸などの美術品の吊り下げ高さを簡単な操作で無段階的に調整することができる。
【特許文献１】実用新案登録第３１１３３４７号公報
【特許文献２】特開２００５−１２２５７号公報
【特許文献３】特開平１１−７６０２０号公報
【発明の開示】
【発明が解決しようとする課題】
【０００５】
しかしながら、美術品鑑賞キャビネットの展示空間の内部雰囲気は、その美術品鑑賞キャビネットが設置された室内の空調まかせであり、当該室内が快適であっても、夏場は高温・多湿の環境になったり、逆に、冬場は低温・乾燥の環境になったりして、その美術品鑑賞キャビネットの展示空間内に展示されている美術品の品質を低下させるおそれがあった。
【０００６】
そこで、本発明は、上述した点を鑑みてなされたものであり、展示空間内に展示されている美術品の経時劣化を当該展示空間の内部雰囲気の観点から防ぐことができる美術品鑑賞キャビネットを提供することを課題とする。
【課題を解決するための手段】
【０００７】
この課題を解決するために成された請求項１に係る発明は、美術品鑑賞キャビネット（例えば、美術品鑑賞キャビネット１）であって、美術品（例えば、掛け軸２）を展示する展示空間（例えば、展示空間Ｒ１）の相対湿度が第１条件範囲内に移行するまで前記展示空間（例えば、展示空間Ｒ１）内に気体を充填する湿度調節手段（例えば、Ｓ２３又はＳ２６）と、前記展示空間（例えば、展示空間Ｒ１）の摂氏温度が第２条件範囲内に移行するまで前記展示空間（例えば、展示空間Ｒ１）内を熱電素子（例えば、サーモモジュール３６）で加熱又は冷却する温度調節手段（例えば、Ｓ３３又はＳ３８）と、を備えたこと、を特徴としている。
【０００８】
また、請求項２に係る発明は、請求項１に記載する美術品鑑賞キャビネット（例えば、美術品鑑賞キャビネット１）であって、前記展示空間（例えば、展示空間Ｒ１）の相対湿度が前記第１条件範囲である５０±５％の上限又は下限を超えると前記湿度調節手段（例えば、Ｓ２３又はＳ２６）の実行を許可する第１許可手段（例えば、Ｓ２２又はＳ２５）を備えたこと、を特徴としている。
【０００９】
また、請求項３に係る発明は、請求項１又は請求項２に記載する美術品鑑賞キャビネット（例えば、美術品鑑賞キャビネット１）であって、前記展示空間（例えば、展示空間Ｒ１）の摂氏温度が前記第２条件範囲である２０±２℃の上限又は下限を超えると前記温度調節手段（例えば、Ｓ３３又はＳ３８）の実行を許可する第２許可手段（例えば、Ｓ３２又はＳ３７）を備えたこと、を特徴としている。
【００１０】
また、請求項４に係る発明は、請求項１乃至請求項３のいずれか１つに記載する美術品鑑賞キャビネット（例えば、美術品鑑賞キャビネット１）であって、前記湿度調節手段（Ｓ２３）の気体を供給するとともに前記展示空間（例えば、展示空間Ｒ１）から隔てた外部に設置された気体発生器（例えば、窒素発生器６１、加湿器７１）と、前記温度調節手段（Ｓ３３又はＳ３８）の熱電素子（例えば、サーモモジュール３６）が露呈するとともに前記展示空間（例えば、展示空間Ｒ１）に隣接して設けられた温度調節空間（例えば、温度調節空間Ｒ２）と、前記温度調節空間（例えば、温度調節空間Ｒ２）から前記展示空間（例えば、展示空間Ｒ１）に上方で強制通風させる上方ファン（例えば、上方ファン３８）と、前記温度調節空間（例えば、温度調節空間Ｒ２）から前記展示空間（例えば、展示空間Ｒ１）に下方で強制通風させる下方ファン（例えば、下方ファン３９）と、を備えたこと、を特徴としている。
【００１１】
また、請求項５に係る発明は、請求項４に記載する美術品鑑賞キャビネット（例えば、美術品鑑賞キャビネット１）であって、前記温度調節手段（例えば、Ｓ３８）が加熱を行う場合には前記下方ファン（例えば、下方ファン３９）を作動させる第１ファン作動手段（例えば、Ｓ３９）と、前記温度調節手段（例えば、Ｓ３３）が冷却を行う場合には前記上方ファン（例えば、上方ファン３８）を作動させる第２ファン作動手段（例えば、Ｓ３４）と、を備えたこと、を特徴としている。
【００１２】
また、請求項６に係る発明は、請求項１乃至請求項５のいずれか１つに記載する美術品鑑賞キャビネット（例えば、美術品鑑賞キャビネット１）であって、前記温度調節手段の熱電素子がペルチェ素子（例えば、サーモモジュール３６）であること、を特徴としている。
【発明の効果】
【００１３】
すなわち、本発明の美術品鑑賞キャビネットでは、展示空間の相対湿度が第１条件範囲内に移行するまで展示空間内に気体を充填することによって、且つ、展示空間の摂氏温度が第２条件範囲内に移行するまで展示空間内を熱電素子で加熱又は冷却することによって、展示空間の内部雰囲気について最適化を行っているので、展示空間内に展示されている美術品の経時劣化を当該展示空間の内部雰囲気の観点から防ぐことができる。
【発明を実施するための最良の形態】
【００１４】
以下、本発明の実施の形態を図面を参照にして説明する。図２及び図３は、本実施の形態に係る美術品鑑賞キャビネット１の斜視図である。図２及び図３に示すように、本実施の形態に係る美術品鑑賞キャビネット１は、ベース部１１や、リアキャビネット２１、フロントドア４１、窒素発生器６１、加湿器７１などから構成されている。
【００１５】
この点、リアキャビネット２１は、ベース部１１に対して立設されている。また、リアキャビネット２１の前面下方には、ランプパネル２２が設けられている。さらに、ランプパネル２２には、照明オン確認用ランプ２３や、照明オフ確認用ランプ２４、電源作動確認用ランプ２５、加湿作動確認用ランプ２６、温度作動確認用ランプ２７の各種確認ランプが設けられている。そして、これら一部の確認用ランプ２５〜２７では、その作動が正常時には青色が点灯し、その作動が異常時には赤色が点灯する。従って、ランプパネル２２は、本実施の形態に係る美術品鑑賞キャビネット１の作動状況をランプで外部に知らせるものであるが、液晶ディスプレイや７セグメント表示器などで代用してもよい。
【００１６】
一方、リアキャビネット２１の側面下方には、電源パネル２８が設けられている。さらに、電源パネル２８には、電源用ロッカースイッチ２９や、窒素供給管３０、加湿窒素供給管３１が設けられている。尚、窒素供給管３０には、窒素発生器６１からの窒素ガスが流動する。また、加湿窒素供給管３１には、加湿器７１からの加湿窒素ガスが流動する。また、電源用ロッカースイッチ２９を入れると、上記電源作動確認用ランプ２５が青色に点灯し、そのときの作動状況にあわせて、上記加湿作動確認用ランプ２６と上記温度作動確認用ランプ２７が青色又は赤色に点灯する。その後、電源用ロッカースイッチ２９を切ると、上記電源作動確認用ランプ２５が赤色に点灯し、上記加湿作動確認用ランプ２６と上記温度作動確認用ランプ２７が赤色に点灯する。但し、これらの点灯制御については、説明の便宜上、その詳細な説明は省略する。
【００１７】
また、リアキャビネット２１の内面壁３２には、上方通気口３３や、下方通気口３４、フック３５などが設けられている。尚、フック３５には、鑑賞対象の美術品を掛けることができ、ここでは、掛け軸２が掛けられている。
【００１８】
また、フロントドア４１は、リアキャビネット２１に対して枢設されている。従って、図３に示すように、フロントドア４１を開扉することにより、リアキャビネット１２の内面壁３２のフック３５に掛け軸２を掛けることができ、その後、図２に示すように、フロントドア４１を閉扉することにより、フロントドア４１を通して鑑賞可能になるように掛け軸２を展示することができる。
【００１９】
また、フロントドア４１においては、加工容易なアルミニウム製の窓枠４２に対して複層ガラス４３がはめ込まれている。また、複層ガラス４３には、紫外線カットフィルムが貼られており、よって、フロントドア４１を通して掛け軸２に到達する紫外線の量を大幅に減少させることができる。尚、複層ガラス４３に代えて、例えば、ポリカボネート樹脂を使用してもよい。
【００２０】
また、窓枠４２の内側には、ＬＥＤ照明器４４が設けられている。従って、フロントドア４１が閉扉された際には、鑑賞可能に収納された掛け軸２をＬＥＤ照明器４４によって照らすことができる。
【００２１】
尚、ＬＥＤ照明器４４が点灯している場合には、上記照明オン確認用ランプ２３が点灯するとともに上記照明オフ確認用ランプ２４が消灯する。一方、ＬＥＤ照明器４４が消灯している場合には、上記照明オン確認用ランプ２３が消灯するとともに上記照明オフ確認用ランプ２４が点灯する。但し、これらの点灯制御については、説明の便宜上、その詳細な説明は省略する。
【００２２】
また、図示しないが、フロントドア４１とリアキャビネット２１には、自動販売機で用いられるものと同型の３点ロック方式のはめ込み式キーが設けられており、このキーによって、リアキャビネット２１に対してフロントドア４１をロックさせることができるので、セキュリティ面も配慮されている。
【００２３】
尚、本実施の形態に係る美術品鑑賞キャビネット１の外形は、図２及び図３に示すように、掛け軸２の展示に最も適した上下方向に長い箱形をしているが、美術品の鑑賞のための展示ができるものであれば、どのような外形をしていてもよい。
【００２４】
次に、リアキャビネット２１の内部について説明する。図４は、本実施の形態に係る美術品鑑賞キャビネット１の断面図であって、図３の線Ａ−Ａでリアキャビネット２１を切断した図である。すなわち、リアキャビネット２１の内部では、図４に示すように、それぞれペルチェ素子で構成された複数のサーモモジュール３６が中間壁３７の全域に渡って千鳥格子状に貫設されており、また、上方ファン３８や下方ファン３９が中間壁３７の中央上下にそれぞれ貫設されている。
【００２５】
この点、上方ファン３８は、無振動タイプのものが使用されており、リアキャビネット２１の内面壁３２に設けられた上方通気口３３（図２，図３参照）に対向するように配置されている。同様にして、下方ファン３９は、無振動タイプのものが使用されており、リアキャビネット２１の内面壁３２に設けられた下方通気口３４（図２，図３参照）に対向するように配置されている。
【００２６】
さらに、リアキャビネット２１の内部では、図４に示すように、中間壁３７の下端に隣設された下方仕切板４０の下側において、制御ユニット１０１がベース部１１上に設置されている。但し、制御ユニット１０１は、リアキャビネット２１の外部に配置されてもよい。
【００２７】
次に、本実施の形態に係る美術品鑑賞キャビネット１の内部について説明する。図５は、本実施の形態に係る美術品鑑賞キャビネット１の断面図であって、図２の線Ｂ−Ｂで切断した図である。また、図６は、図５の矢視Ｃから見た拡大断面図である。すなわち、図５，図６に示すように、本実施の形態に係る美術品鑑賞キャビネット１の内部では、フロントドア４１の内面とリアキャビネット１２の内面壁３２とによって展示空間Ｒ１が形成され、リアキャビネット１２の内面や内面壁３２と中間壁３７とによって温度調節空間Ｒ２が形成され、リアキャビネット１２の内面と中間壁３７とによって後部空間Ｒ３が形成されている。従って、展示空間Ｒ１と温度調節空間Ｒ２が隣り合うとともに、温度調節空間Ｒ２と後部空間Ｒ３が隣り合っている。
【００２８】
この点、展示空間Ｒ１は、掛け軸２が内在する空間であり、上方通気口３３及び下方通気口３４を介して、温度調節空間Ｒ２に連通している。また、温度調節空間Ｒ２では、各サーモモジュール３６の一方の伝熱面が現れ出ている。従って、温度調節空間Ｒ２内の気体は、各サーモモジュール３６の一方の伝熱面によって加熱又は冷却されて暖気又は冷気になった後に、上方通気口３３及び下方通気口３４を介して、展示空間Ｒ１内に移動することができる。また、展示空間Ｒ１には、窒素供給管３０及び加湿窒素供給管３１（図２〜図４参照）の各出口（不図示）が配置されており、展示空間Ｒ１内に窒素ガスや加湿窒素ガスを供給することができる。
【００２９】
そして、本実施の形態に係る美術品鑑賞キャビネット１では、上述したような暖気・冷気の移動や窒素ガスや加湿窒素ガスの供給を利用することにより、掛け軸２が内在する展示空間Ｒ１に対する空調制御を行うことができる。
【００３０】
そこで、ここでは、本実施の形態に係る美術品鑑賞キャビネット１の空調制御の系統について説明する。図７は、本実施の形態に係る美術品鑑賞キャビネット１の空調制御の系統を示すブロック図である。図７に示すように、本実施の形態に係る美術品鑑賞キャビネット１の空調制御の系統は、制御ユニット１０１や、ドアスイッチ１０２、温度センサー１０３、湿度センサー１０４、窒素発生器６１、加湿器７１、上方ファン３８、下方ファン３９、サーモモジュール３６などのハードウエアから構成されている。
【００３１】
この点、制御ユニット１０１は、第１タイマー１１２や、第２タイマー１１３、上昇用温度調節器１１４、下降用温度調節器１１５、第１リレー１１６、第２リレー１１７、第３リレー１１８、第４リレー１１９などを搭載している。尚、第１タイマー１１２及び第２タイマー１１３については、制御ユニット１０１上ではタイマーユニット１１１で一体化されている。
【００３２】
また、ドアスイッチ１０２は、リアキャビネット１２又はフロントドア４１に設けられることによって、リアキャビネット１２に対してフロントドア４１が開扉したことを知らせることができるセンサーであり、制御ユニット１０１上では第１タイマー１１２に接続されている。
【００３３】
また、温度センサー１０３は、その測定部が展示空間Ｒ１内に配置されることによって、展示空間Ｒ１内の摂氏温度を計測することができるセンサーであり、制御ユニット１０１上では上昇用温度調節器１１４及び下降用温度調節器１１５に接続されている。
【００３４】
また、湿度センサー１０４は、その測定部が展示空間Ｒ１内に配置されることによって、展示空間Ｒ１内の相対湿度を計測することができるセンサーであり、制御ユニット１０１上では第２リレー１１７に接続されている。
【００３５】
また、窒素発生器６１は、窒素供給管３０を介して展示空間Ｒ１内に窒素ガスを供給することができるものであり、制御ユニット１０１上では第１タイマー１１２及び第２タイマー１１３に接続されている。尚、窒素発生器６１は、リアキャビネット１２やフロントドア４１から離れて設置されている。従って、窒素発生器６１の振動は、展示空間Ｒ１に内在する掛け軸２に伝達され難い。
【００３６】
また、加湿器７１は、加湿窒素供給管３１を介して展示空間Ｒ１内に加湿窒素ガスを供給することができるものであり、制御ユニット１０１上では、第１タイマー１１２や、第２タイマー１１３、第１リレー１１６に接続されている。尚、加湿器７１は、リアキャビネット１２やフロントドア４１から離れて設置されている。従って、加湿器７１の振動は、展示空間Ｒ１に内在する掛け軸２に伝達され難い。
【００３７】
また、上方ファン３８は、温度調節空間Ｒ２において上方通気口３３に対向した位置に設けられることによって、温度調節空間Ｒ２内の気体を上方通気口３３を介して展示空間Ｒ１に送り出すことができるものであり、制御ユニット１０１上では第３リレー１１８に接続されている。
【００３８】
また、下方ファン３９は、温度調節空間Ｒ２において下方通気口３４に対向した位置に設けられることによって、温度調節空間Ｒ２内の気体を下方通気口３４を介して展示空間Ｒ１に送り出すことができるものであり、制御ユニット１０１上では第４リレー１１９に接続されている。
【００３９】
また、サーモモジュール３６は、ペルチェ素子で構成された伝熱面の一方が温度調節空間Ｒ２に配置されることによって、温度調節空間Ｒ２内の気体を加熱又は冷却することができるものであり、制御ユニット１０１上では第３リレー１１８及び第４リレー１１９に接続されている。尚、サーモモジュール３６は、ペルチェ効果を利用したペルチェ素子を使用していることから、加熱又は冷却の際には静音・無振動である。
【００４０】
また、制御ユニット１０１上においては、第１リレー１１６が、第１タイマー１１２や、第２タイマー１１３、第２リレー１１７に接続されている。また、第２リレー１１７が、第３リレー１１８や第４リレー１１９に接続されている。
【００４１】
従って、展示空間Ｒ１内の摂氏温度が設定下限温度より低くなったこと温度センサー１０３で検知すると、上昇用温度調節器１１４は、第４リレー１１９を介して、サーモモジュール３６による加熱や下方ファン３９の作動を開始させる。その後、展示空間Ｒ１内の摂氏温度が設定下限温度より高くなったこと温度センサー１０３で検知すると、上昇用温度調節器１１４は、第４リレー１１９を介して、サーモモジュール３６による加熱や下方ファン３９の作動を停止させる。
【００４２】
また、展示空間Ｒ１内の摂氏温度が設定上限温度より高くなったこと温度センサー１０３で検知すると、下昇用温度調節器１１５は、第３リレー１１８を介して、サーモモジュール３６による冷却や上方ファン３８の作動を開始させる。その後、展示空間Ｒ１内の摂氏温度が設定上限温度より低くなったこと温度センサー１０３で検知すると、下昇用温度調節器１１５は、第３リレー１１８を介して、サーモモジュール３６による冷却熱や上方ファン３８の作動を停止させる。
【００４３】
もっとも、これらの温度制御は、フロントドア４１が開扉したことをドアスイッチ１０２で検知したことによって始動する第１タイマー１１２の作動中に限って行われ、または、所定経過時間毎に始動する第２タイマー１１３の作動中に限って行われる。尚、このような制御動作は、第１タイマー１１２及び第２タイマー１１３が第１リレー１１６及び第２リレー１１７を介して第３リレー１１８又は第４リレー１１９に接続されていることによって実現している。
【００４４】
一方、展示空間Ｒ１内の相対湿度が設定下限湿度より低くなったことを湿度センサー１０４で検知すると、第２リレー１１７及び第１リレー１１６を介して、加湿器７１の作動を開始させる。その後、展示空間Ｒ１内の相対湿度が設定下限湿度より高くなったことを湿度センサー１０４で検知すると、第２リレー１１７及び第１リレー１１６を介して、加湿器７１の作動を停止させる。
【００４５】
もっとも、この湿度制御は、フロントドア４１が開扉したことをドアスイッチ１０２で検知したことによって始動する第１タイマー１１２の作動中に限って行われ、または、所定経過時間毎に始動する第２タイマー１１３の作動中に限って行われる。尚、このような制御動作は、第１タイマー１１２及び第２タイマー１１３が第１リレー１１６に接続されていることによって実現している。
【００４６】
また、展示空間Ｒ１内の相対湿度が設定上限湿度より高くなったことを湿度センサー１０４で検知すると、第２リレー１１７及び第１リレー１１６を介して、窒素発生器６１の作動を開始させる。その後、展示空間Ｒ１内の相対湿度が設定上限湿度より低くなったことを湿度センサー１０４で検知すると、第２リレー１１７及び第１リレー１１６を介して、窒素発生器６１の作動を停止させる。
【００４７】
もっとも、この湿度制御は、フロントドア４１が開扉したことをドアスイッチ１０２で検知したことによって始動する第１タイマー１１２の作動中に限って行われ、または、所定経過時間毎に始動する第２タイマー１１３の作動中に限って行われる。尚、このような制御動作は、窒素発生器６１が第１タイマー１１２及び第２タイマー１１３を介して第１リレー１１６に接続されていることによって実現している。
【００４８】
次に、本実施の形態に係る美術品鑑賞キャビネット１の空調制御の処理手順について説明する。図１２は、本実施の形態に係る美術品鑑賞キャビネット１の空調制御についてのフローチャート図である。尚、図１２のフローチャートの各ステップについては、以下では、「Ｓ」と略記する。図１２に示すように、本実施の形態に係る美術品鑑賞キャビネット１では、先ず、フロントドア４１が開閉されるまで、又は、作動時間に到達するまで待機する（Ｓ１１：ＮＯ，Ｓ１２：ＮＯ）。尚、作動時間とは、第２タイマー１１３において予め設定されている所定経過時間である。
【００４９】
そして、フロントドア４１が開閉され、又は、作動時間に到達すると（Ｓ１１：ＹＥＳ，Ｓ１２：ＹＥＳ）、展示空間Ｒ１内の相対湿度が５５％より高ければ（Ｓ２１，Ｓ２２：ＹＥＳ）、展示空間Ｒ１内に窒素ガスを充填する（Ｓ２３）。この充填は、展示空間Ｒ１内の相対湿度が５５％より低くなるまで行われる（Ｓ２１，Ｓ２２：ＮＯ，Ｓ２４）。
【００５０】
一方、展示空間Ｒ１内の相対湿度が４５％より低ければ（Ｓ２１，Ｓ２２：ＮＯ，Ｓ２５：ＹＥＳ）、展示空間Ｒ１内に加湿窒素ガスを充填する（Ｓ２６）。この充填は、展示空間Ｒ１内の相対湿度が４５％より高くなるまで行われる（Ｓ２１，Ｓ２２：ＮＯ，Ｓ２５：ＮＯ，Ｓ２７）。
【００５１】
また、展示空間Ｒ１内の摂氏温度が２２℃より高ければ（Ｓ３１，Ｓ３２：ＹＥＳ）、サーモモジュール３６による冷却や上方ファン３８を作動させる（Ｓ３３，Ｓ３４）。これらの作動は、展示空間Ｒ１内の摂氏温度が２２℃より低くなるまで行われる（Ｓ３１，Ｓ３２：ＮＯ，Ｓ３５，Ｓ３６）。
【００５２】
一方、展示空間Ｒ１内の摂氏温度が１８℃より低ければ（Ｓ３１，Ｓ３２：ＮＯ，Ｓ３７：ＹＥＳ）、サーモモジュール３６による加熱や下方ファン３９を作動させる（Ｓ３８，Ｓ３９）。これらの作動は、展示空間Ｒ１内の摂氏温度が１８℃より高くなるまで行われる（Ｓ３１，Ｓ３２：ＮＯ，Ｓ３７：ＹＥＳ，Ｓ４０，Ｓ４１）。
【００５３】
その後、展示空間Ｒ１内の相対湿度が５５％より高ければ（Ｓ５１，Ｓ５２：ＹＥＳ）、上記Ｓ２３に戻って以降の処理を再び行い、展示空間Ｒ１内の相対湿度が４５％より低ければ（Ｓ５１，Ｓ５２：ＮＯ，Ｓ５３：ＹＥＳ）、上記Ｓ２６に戻って以降の処理を再び行う。一方、展示空間Ｒ１内の相対湿度が４５％〜５５％の範囲内にあれば（Ｓ５１，Ｓ５２：ＮＯ，Ｓ５３：ＮＯ）、この空調制御を一旦終了させる。
【００５４】
従って、本実施の形態に係る美術品鑑賞キャビネット１では、図１２におけるＳ２２の空調制御が制御ユニット１０１を介して実行されている際は「第１許可手段」が機能している。
また、図１２におけるＳ２３の空調制御が制御ユニット１０１を介して実行されている際は「湿度調節手段」が機能している。
また、図１２におけるＳ３２又はＳ３７の空調制御が制御ユニット１０１を介して実行されている際は「第２許可手段」が機能している。
また、図１２におけるＳ３３又はＳ３８の空調制御が制御ユニット１０１を介して実行されている際は「温度調節手段」が機能している。
また、図１２におけるＳ３４の空調制御が制御ユニット１０１を介して実行されている際は「第２ファン作動手段」が機能している。
また、図１２におけるＳ３９の空調制御が制御ユニット１０１を介して実行されている際は「第１ファン作動手段」が機能している。
【００５５】
ここで、本実施の形態に係る美術品鑑賞キャビネット１の空調原理をまとめると、以下の説明になる。図１は、本実施の形態に係る美術品鑑賞キャビネット１の空調原理を示した図である。すなわち、図１に示すように、本実施の形態に係る美術品鑑賞キャビネット１では、内壁面３２や中間壁３７によって、リアキャビネット１２及びフロントドア４１で構成されている内部空間を展示空間Ｒ１と温度調節空間Ｒ２と後部空間Ｒ３とに区分けされている。
【００５６】
この点、展示空間Ｒ１においては、温度センサー１０３や湿度センサー１０４の測定部が装入され、窒素発生器６１からの窒素ガスが流動する窒素供給管３０の出口が配置され、加湿器７１からの加湿窒素ガスが流動する加湿窒素供給管３１の出口が配置され、また、掛け軸２が懸吊されている。尚、図１では、記載の便宜上、温度センサー１０３や湿度センサー１０４の測定部はフロントドア４１から装入されているが、この実施形態では、内壁面３２から装入されている。
【００５７】
また、温度調節空間Ｒ２と後部空間Ｒ３とを区分ける中間壁３７には、サーモモジュール３６や上方ファン３８や下方ファン３９が貫設されている。これにより、温度調節空間Ｒ２においては、サーモモジュール３６の一方の伝熱面や上方ファン３８や下方ファン３９が展示空間Ｒ１に向かって配置されている。
【００５８】
さらに、展示空間Ｒ１と温度調節空間Ｒ２とを区分ける内壁面３２には、上方ファン３８と対向する位置に上方通気口３３が配置され、下方ファン３９と対向する位置に下方通気口３４が配置されている。これにより、展示空間Ｒ１と温度調節空間Ｒ２は、上方通気口３３や下方通気口３４を介して連通している。
【００５９】
そして、湿度センサー１０４の測定結果に基づいて展示空間Ｒ１を除湿する場合には、図８に示すように、窒素発生器６１から窒素供給管３０を介して展示空間Ｒ１に窒素ガスを供給する。尚、展示空間Ｒ１に供給される窒素ガスは、窒素供給管３０の出口に設けられたレジスターなどによって流出方向が制限されることにより、掛け軸２に直接当たらないように配慮される。もっとも、掛け軸２に直接当たらないようにする観点からすれば、展示空間Ｒ１と連通する温度調節空間Ｒ２に窒素ガスを供給させてもよく、この場合に、上方ファン３８や下方ファン３９を作動させると、展示空間Ｒ１に窒素ガスをより早く供給することができる。
【００６０】
一方、湿度センサー１０４の測定結果に基づいて展示空間Ｒ１を加湿する場合には、図９に示すように、加湿器７１から加湿窒素供給管３１を介して展示空間Ｒ１に加湿窒素ガスを供給する。尚、展示空間Ｒ１に供給される加湿窒素ガスは、少なくとも室温では凝縮することがない水分量に抑えられ、加湿窒素供給管３１の出口に設けられたレジスターなどによって流出方向が制限されることにより、掛け軸２に直接当たらないように配慮される。もっとも、掛け軸２に直接当たらないようにする観点からすれば、展示空間Ｒ１と連通する温度調節空間Ｒ２に加湿窒素ガスを供給させてもよく、この場合に、上方ファン３８や下方ファン３９を作動させると、展示空間Ｒ１に加湿窒素ガスをより早く供給することができる。
【００６１】
また、温度センサー１０３の測定結果に基づいて展示空間Ｒ１を冷却する場合には、図１０に示すように、サーモモジュール３６で冷却された温度調節空間Ｒ２の冷気を、上方ファン３８の作動により上方通気口３３を介して強制的に展示空間Ｒ１に流入させるとともに、下方通気口３４を介して自然的に展示空間Ｒ１に流入させる。これにより、温度調節空間Ｒ２で冷気を効率的に発生させながら展示空間Ｒ１の全体に冷気を行き渡らせることができる。
【００６２】
一方、温度センサー１０３の測定結果に基づいて展示空間Ｒ１を加熱する場合には、図１１に示すように、サーモモジュール３６で加熱された温度調節空間Ｒ２の暖気を、下方ファン３９の作動により下方通気口３４を介して強制的に展示空間Ｒ１に流入させるとともに、上方通気口３３を介して自然的に展示空間Ｒ１に流入させる。これにより、温度調節空間Ｒ２で暖気を効率的に発生させながら展示空間Ｒ１の全体に暖気を行き渡らせることができる。
【００６３】
もっとも、上方通気口３３や下方通気口３４は、掛け軸２が懸吊された内壁面３２において上下にそれぞれ位置することから、適切に懸吊することが可能な掛け軸２に対しては直接当たらないように配慮されている。
【００６４】
尚、展示空間Ｒ１と温度調節空間Ｒ２が上方通気口３３や下方通気口３４を介して連通されていることを考慮すれば、温度センサー１０３や湿度センサー１０４の測定部は温度調節空間Ｒ２に装入されていても、展示空間Ｒ１の空調（除湿・加湿・冷却・加熱）を適切に行うことは可能である。
【００６５】
以上詳細に説明したように、本実施の形態に係る美術品鑑賞キャビネット１では、展示空間Ｒ１の相対湿度が５０±５％内に移行するまで、展示空間Ｒ１に窒素発生器６１から窒素ガス又は加湿器７１から加湿窒素ガスを充填することによって（Ｓ２２：ＹＥＳ，Ｓ２３又はＳ２５：ＹＥＳ，Ｓ２６）、且つ、展示空間Ｒ１の摂氏温度が２０±２℃内に移行するまで、サーモモジュール３６で冷却・加熱された温度調節空間Ｒ２の冷気・暖気を介して、展示空間Ｒ１を加熱又は冷却することによって（Ｓ３２：ＹＥＳ，Ｓ３３又はＳ３７：ＹＥＳ，Ｓ３８）、展示空間Ｒ１の内部雰囲気（気体の湿度・温度）について最適化を行っているので、展示空間Ｒ１内に展示されている掛け軸２の経時劣化を当該展示空間Ｒ１の内部雰囲気（気体の湿度・温度）の観点から防ぐことができる。
【００６６】
特に、本実施の形態に係る美術品鑑賞キャビネット１においては、サーモモジュール３６で冷却・加熱された冷気・暖気は、展示空間Ｒ１では生成されず、温度調節空間Ｒ２で生成された後に上方通気口３３や下方通気口３４を介して展示空間Ｒ１に流入させることによって、掛け軸２に直接当たらないように配慮されており、また、冷気・暖気を生成させるサーモモジュール３６からの熱輻射も、上方通気口３３や下方通気口３４が設けられた内壁面３２によって掛け軸２に照射されないように配慮されているので、気流や熱線で直接に掛け軸２が傷つくことを防ぐことができる。
【００６７】
また、本実施の形態に係る美術品鑑賞キャビネット１においては、窒素ガスや加湿窒素ガスを展示空間Ｒ１に供給することにより湿度調節を行っていることから（Ｓ２１〜Ｓ２７）、掛け軸２が展示されている展示空間Ｒ１が不活性ガスの内部雰囲気となるので、掛け軸２が酸化して劣化することを防止できる。
【００６８】
また、本実施の形態に係る美術品鑑賞キャビネット１においては、外部に設けられた窒素発生器６１や加湿器７１から振動が伝わりにくく、また、静音・無振動のサーモモジュール３６で冷却・加熱を行い、さらに、無振動タイプの上方ファン３８及び下方ファン３９で送風を行っているので、掛け軸２が振動より劣化することを抑えている。
【００６９】
尚、本発明は上記実施の形態に限定されるものでなく、その趣旨を逸脱しない範囲で様々な変更が可能である。
例えば、本実施の形態に係る美術品鑑賞キャビネット１では、展示空間Ｒ１の気体について、相対湿度が５０±５％で摂氏温度が２０±２℃の各範囲内を、掛け軸２を展示する際の最適な内部雰囲気として空調制御しているが、展示品が異なれば、最適な内部雰囲気の数値範囲も異なることがある。
【００７０】
また、本実施の形態に係る美術品鑑賞キャビネット１において、上方ファン３８や下方ファン３９を互いに逆方向に回転するように同時作動させれば、展示空間Ｒ１と温度調節空間Ｒ２の間で循環する気体の一方向の流れを形成することができるので、展示空間Ｒ１の空調（除湿・加湿・冷却・加熱）をより早く行うことができる。
【００７１】
また、本実施の形態に係る美術品鑑賞キャビネット１においては、窒素発生器６１を取り除くことによって、冬場の乾燥時期専用品としてもよい。逆に、加湿器７１を取り除くことによって、夏場の多湿時期専用品としてもよい。特に、後者においては、展示空間Ｒ１又は温度調節空間Ｒ２を測定対象とする空気濃度計により測定した空気濃度に基づいて、窒素発生器６１から窒素ガスを供給するタイミングを制御させてもよい。
【００７２】
また、本実施の形態に係る美術品鑑賞キャビネット１における空調制御の処理手順について、制御ユニット１０１内を再構成することにより、窒素発生器６１や加湿器７１で行われる湿度調節とサーモモジュール３６で行われる温度調節とを同時に行わせてもよい。
【００７３】
また、本実施の形態に係る美術品鑑賞キャビネット１における空調制御の処理手順は、ソフトウエアによって実現させてもよい。この場合には、例えば、湿度センサー１０４の連続又は断続的な測定結果から展示空間Ｒ１の相対湿度の変化速度を算出し、その変化速度に基づいて、定期的に窒素ガス又は加湿窒素ガスを展示空間Ｒ１に供給させてもよい。また、ソフトウエアによって、上記湿度調節と上記温度調節とを同時に行わせてもよい。
【００７４】
また、本実施の形態に係る美術品鑑賞キャビネット１において、湿度調節で使用される窒素ガス又は加湿窒素ガスに代わって、空気又は水蒸気など、別の気体を使用してもよい。
【００７５】
また、本実施の形態に係る美術品鑑賞キャビネット１において、複数のサーモモジュール３６はペルチェ素子で構成されたものであったが、この点、セーベック効果又はトムソン効果を使用した熱電素子や、酸化物によって組成された熱電素子などで、複数のサーモモジュール３６を構成してもよい。
【産業上の利用可能性】
【００７６】
本発明は、美術品鑑賞キャビネットの展示空間の内部雰囲気を空調制御する技術に適用し得る。
【図面の簡単な説明】
【００７７】
【図１】本実施の形態に係る美術品鑑賞キャビネットの空調原理の概要を示した図である。
【図２】本実施の形態に係る美術品鑑賞キャビネットの斜視図である。
【図３】本実施の形態に係る美術品鑑賞キャビネットの斜視図である。
【図４】本実施の形態に係る美術品鑑賞キャビネットの断面図であって、図３の線Ａ−Ａでリアキャビネットを切断した図である。
【図５】本実施の形態に係る美術品鑑賞キャビネットの断面図であって、図２の線Ｂ−Ｂで切断した図である。
【図６】図５の矢視Ｃから見た拡大断面図である。
【図７】本実施の形態に係る美術品鑑賞キャビネットの空調制御の系統を示すブロック図である。
【図８】本実施の形態に係る美術品鑑賞キャビネットの空調原理の概要（除湿時）を示した図である。
【図９】本実施の形態に係る美術品鑑賞キャビネットの空調原理の概要（加湿時）を示した図である。
【図１０】本実施の形態に係る美術品鑑賞キャビネットの空調原理の概要（冷却時）を示した図である。
【図１１】本実施の形態に係る美術品鑑賞キャビネットの空調原理の概要（加熱時）を示した図である。
【図１２】本実施の形態に係る美術品鑑賞キャビネットの空調制御についてのフローチャート図である。
【符号の説明】
【００７８】
１  美術品鑑賞キャビネット
２  掛け軸
３６  サーモモジュール
３８  上方ファン
３９  下方ファン
６１  窒素発生器
１０１  制御ユニット
Ｒ１  展示空間
Ｒ２  温度調節空間
【図１】
2007159819.tif 000003
【図２】
2007159819.tif 000004
【図３】
2007159819.tif 000005
【図４】
2007159819.tif 000006
【図５】
2007159819.tif 000007
【図６】
2007159819.tif 000008
【図７】
2007159819.tif 000009
【図８】
2007159819.tif 000010
【図９】
2007159819.tif 000011
【図１０】
2007159819.tif 000012
【図１１】
2007159819.tif 000013
【図１２】
2007159819.tif 000014